【手続補正書】
【提出日】平成16年1月5日(2004.1.5)
【手続補正１】
【補正対象書類名】明細書
【補正対象項目名】特許請求の範囲
【補正方法】変更
【補正の内容】
【特許請求の範囲】
【請求項１】
打撃を電気信号として検出し、検出した電気信号に基づいて楽音を生成する電子打楽器装置において、
チューニングのための打点位置印を設けたチューニング可能なヘッドと、
前記ヘッドへの打点位置を検出する打点位置検出手段と、
前記打点位置検出手段による検出結果に対応した表示と、前記打点位置印に対応した位置のチューニング基準印の表示とを行う表示手段と
を有する
ことを特徴とする電子打楽器装置。
【請求項２】
請求項１記載の電子打楽器装置において、
前記表示手段は、前記打点位置検出手段による検出結果と前記打点位置印に対応した基準情報との偏差を表示する
ことを特徴とする電子打楽器装置。
【請求項３】
請求項１記載の電子打楽器装置において、
前記ヘッドのチューニング状態として選択された前記ヘッドのヘッド・タイプを選択する手段をさらに備えるものであり、前記打点位置検出手段による検出結果に対応した表示は、前記選択されたヘッド・タイプに対応して補正されるものである
ことを特徴とする電子打楽器装置。
【請求項４】
請求項１記載の電子打楽器装置において、
前記ヘッドのチューニング状態として選択された前記ヘッドのチューニング・タイプを選択する手段をさらに備えるものであり、前記打点位置検出手段による検出結果に対応した表示は、前記選択されたチューニング・タイプに対応して補正されるものである
ことを特徴とする電子打楽器装置。
【手続補正２】
【補正対象書類名】明細書
【補正対象項目名】０００９
【補正方法】変更
【補正の内容】
【０００９】
【課題を解決するための手段】
上記目的を達成するために、本発明のうち請求項１に記載の発明は、打撃を電気信号として検出し、検出した電気信号に基づいて楽音を生成する電子打楽器装置において、チューニングのための打点位置印を設けたチューニング可能なヘッドと、上記ヘッドへの打点位置を検出する打点位置検出手段と、上記打点位置検出手段による検出結果に対応した表示と、上記打点位置印に対応した位置のチューニング基準印の表示とを行う表示手段とを有するようにしたものである。


【手続補正３】
【補正対象書類名】明細書
【補正対象項目名】００１０
【補正方法】変更
【補正の内容】
【００１０】
従って、請求項１に記載の発明によれば、ユーザーがヘッドのチューニング操作を行う際には、ユーザーはヘッドの打点位置印を設けられた箇所を打撃し、そのときの打点位置検出手段による検出結果と、上記打点位置印に対応した位置のチューニング基準印とを表示手段で確認しながらチューニング操作を行うことができるので、ユーザーがヘッドの打点位置印を設けられた箇所を打撃すると、そのときの打点位置検出手段による検出結果と打点位置印に対応するチューニング基準印とを同時に表示手段により確認できるため、ユーザーの勘に頼ることなくチューニング操作を簡単に行うことができる。


【手続補正４】
【補正対象書類名】明細書
【補正対象項目名】００１１
【補正方法】変更
【補正の内容】
【００１１】
ここで、上記表示手段は、例えば、請求項２に記載の発明のように、上記打点位置検出手段による検出結果と前記打点位置印に対応した基準情報との偏差を表示するようにしてもよい。


【手続補正５】
【補正対象書類名】明細書
【補正対象項目名】００１２
【補正方法】変更
【補正の内容】
【００１２】
このようにした場合には、ユーザーがヘッドの打点位置印を設けられた箇所を打撃すると、そのときの打点位置検出手段による検出結果と打点位置印に対応した基準情報との偏差を表示手段により確認できるため、チューニング操作が一層簡単になる。


【手続補正６】
【補正対象書類名】明細書
【補正対象項目名】００１３
【補正方法】変更
【補正の内容】
【００１３】
また、上記表示手段は、例えば、請求項３に記載の発明のように、ヘッドのチューニング状態として選択されたヘッド・タイプに対応して補正されたものを表示するようにしてもよい。


【手続補正７】
【補正対象書類名】明細書
【補正対象項目名】００１４
【補正方法】変更
【補正の内容】
【００１４】
このようにした場合には、打点位置検出手段による検出結果に対応した表示は、選択されたヘッド・タイプに対応して補正されるので、チューニング操作が一層簡単になる。
また、上記表示手段は、例えば、請求項４に記載の発明のように、ヘッドのチューニング状態として選択されたチューニング・タイプに対応して補正されたものを表示するようにしてもよい。
このようにした場合には、打点位置検出手段による検出結果に対応した表示は、選択されたチューニング・タイプに対応して補正されるので、チューニング操作が一層簡単になる。


【手続補正８】
【補正対象書類名】明細書
【補正対象項目名】００２９
【補正方法】変更
【補正の内容】
【００２９】
以上の構成において、スティック（図示せず）によりヘッド１２を打撃した場合には、ヘッド・センサー１４がその打撃を検出し、スティックによりリム１６を打撃した場合には、リム・ショット・センサー１８がその打撃を検出し、ブラシによりヘッド１２を擦ったり叩いたりした場合には、ヘッド・センサー１４がブラシのヘッド１２への接触を検出することになる。


【手続補正９】
【補正対象書類名】明細書
【補正対象項目名】００３２
【補正方法】変更
【補正の内容】
【００３２】
次に、操作子群３０のモード選択操作子の操作状態を監視して、動作モードとして、ヘッド１２の網状素材の張力を調整してヘッド１２の打撃感を変化させるチューニング・モードが設定されているか、ヘッド１２への打撃ならびにリム１６への打撃を検出して打楽器音を発音する通常演奏モードが設定されているか、あるいはヘッド１２をブラシで擦ったり叩いたりしたことを検出して打楽器音を発音するブラシ演奏モードが設定されているかを判断する（ステップＳ８０４）。


【手続補正１０】
【補正対象書類名】明細書
【補正対象項目名】００５３
【補正方法】変更
【補正の内容】
【００５３】
具体的には、タイマＴをインクリメントし（ステップＳ９２４）、最大値ｍａｘとサンプル・データＳの絶対値とを比較し、大きい方の値により最大値ｍａｘを書き換え（ステップＳ９２６）、ＤＳＰ打撃信号処理ルーチンを終了する。


【手続補正１１】
【補正対象書類名】明細書
【補正対象項目名】００７５
【補正方法】変更
【補正の内容】
【００７５】
上記のようにしてステップＳ１４１２の処理を終了した場合、あるいはステップＳ１４０２において操作子群３０のヘッド・タイプ設定操作子またはチューニング・タイプ設定操作子のいずれもが操作されず、ヘッド・タイプまたはチューニング・タイプのいずれの変更も指示されていない場合には、ＤＳＰ２２から送出された打点位置情報ＡＰを表示装置３２により表示する（ステップＳ１４１４）。即ち、ＤＳＰ打撃信号処理ルーチンにおいてＣＰＵ２４に設定された打点位置情報ＡＰを、表示装置３２により表示するものである。


【手続補正１２】
【補正対象書類名】明細書
【補正対象項目名】０１１３
【補正方法】変更
【補正の内容】
【０１１３】
【発明の効果】
本発明は、以上説明したように構成されているので、ユーザーはヘッドの打点位置印を設けられた箇所を打撃し、そのときの打点位置検出手段による検出結果と、打点位置印に対応した位置のチューニング基準印とを表示手段で確認しながらチューニング操作を行うことができるので、ユーザーの勘に頼ることなくチューニング操作を簡単に行うことができるという優れた効果を奏する。